(57)【特許請求の範囲】
【請求項１】
縦枠間に昇降自在に支持された障子の閉鎖時に、前記障子の上框の室内側の端部が、上枠に室外側を向いて敷設された上枠気密材に密着して上框と上枠との間の気密性を確保すると共に、前記障子の縦框の室内側の端部と室内側から対向するように前記縦枠の内周側に形成された張出片と前記障子の縦框との間で気密性を確保する上げ下げ窓において、前記縦枠に、前記障子の縦框、もしくは上框の縦枠寄りの端部と対向する位置に、風止板が前記上枠気密材に下側から密着するように取り付けられていることを特徴とする上げ下げ窓。
【請求項２】
前記風止板は縦枠の前記張出片に室内側から密着し、且つ前記障子の縦框、もしくは上框の室内側の端部に縦枠側から密着していることを特徴とする請求項１記載の上げ下げ窓。
【請求項３】
前記張出片の室内側に前記風止板を保持するポケットが形成され、前記風止板が前記ポケットの障子側の面に密着するように取り付けられていることを特徴とする請求項２記載の上げ下げ窓。
【発明の詳細な説明】
【０００１】
【発明の属する技術分野】
この発明は縦枠間に昇降自在に支持され、閉鎖時以外のときに室内側へ開放可能な障子の閉鎖時に、障子の上框と上枠との間の気密性を確保する上げ下げ窓に関するものである。
【０００２】
【従来の技術及び発明が解決しようとする課題】
縦枠間に昇降自在に支持された障子が閉鎖時以外のときに、内倒し等のように室内側への開放が可能な上げ下げ窓では障子に室内側への開放の機能を持たせるために、障子の縦框と縦枠は図５に示すように縦框３が縦枠９の内周側に形成されている張出片91，92に対して室内側から対向するような形で組み合わせられる。
【０００３】
この場合、障子が閉鎖しているときの縦框３と縦枠９との間の気密性は、縦框３が縦枠９の張出片91，92に接近しようとする向きに障子が押され、縦框３の室外側の面と縦枠９の張出片91，92の室内側の面のいずれかに敷設された気密材が相手側に密着することにより確保される。縦枠９，９間に複数枚の障子を収納した図５の場合は外障子１の縦框３と縦枠９との間で気密性が確保される。
【０００４】
上枠10側に上昇して閉鎖した外障子１を室外側へ押す機能は図６に示すように上枠10に室外側を向いて敷設され、外障子１の上框２の室内側の端部に密着する上枠気密材12が果たすことから、上枠気密材12は縦框３と縦枠９との間の気密材を相手側へ密着させるだけの復元力を持つ必要があり、特に室外から室内へ向かう風圧（正圧）に対しても気密材の密着状態を維持できる能力を持つ必要があるため、図６に実線で示すように外障子１が開放した状態では閉鎖時の上框２の位置から室外側へ突出した状態にある。
【０００５】
この状態で外障子１を閉鎖させようとすると、外障子１は縦枠９，９に沿い、面外移動を拘束されたまま上昇するため、上框２、または上框２と縦框３が上枠気密材12に接触し、容易に圧縮されない上枠気密材12がその復元力と上框２との間の摩擦力によって図６に鎖線で示すように上框２に引きずられ、上向きに変形しようとする。
【０００６】
上枠気密材12は上枠10と上框２との間、または上枠10と上框２及び縦框３との間の気密性を確保する必要上、図５に破線のハッチングで示すように上枠10の全長に亘り、両側の縦枠９，９の端部間に連続して敷設されているが、縦枠９の外障子側には外障子を昇降自在に支持するためのバランサ等の支持部材18が配置される関係から、縦框３や上框２の端部は縦枠９の内周側の端部より内周側に位置するため、外障子１が閉鎖して上框２、または上框２と縦框３が上枠気密材12に密着したときには上枠気密材12の、縦枠９の端部寄りの部分に外障子１が当接せず、変形しない部分が生じ、上枠気密材12の変形する部分と変形しない部分との間に図５，図７に示すような略三角形状の隙間が生ずる。
【０００７】
このように閉鎖時以外のときに障子に室内側への開放の機能を持たせるために、障子の縦框が縦枠の張出片の室内側に位置する上げ下げ窓においては、障子が閉鎖したときに上枠気密材に隙間が生じ、この隙間を通じて外気が室内に流入するため、この部分が気密上の弱点となる。
【０００８】
この発明は上記背景より、障子が閉鎖したときに上枠気密材との間に発生する隙間を塞ぎ、障子と上枠との間の気密性を高める上げ下げ窓を提案するものである。
【０００９】
【課題を解決するための手段】
本発明では縦枠に、障子の縦框、もしくは上框の縦枠寄りの端部と対向する位置に、風止板を上枠気密材に下側から密着するように取り付けることにより、障子の閉鎖時にその上框が密着する上枠気密材と縦枠、及び障子の縦框や上框の端部との間に発生する隙間を塞ぎ、障子と上枠との間の気密性を高める。
【００１０】
障子の室内側への開放が可能な上げ下げ窓においては、前記のように縦枠間に昇降自在に支持された障子の閉鎖時にその上框の室内側の端部が、上枠に室外側を向いて敷設された上枠気密材に密着することによりその上框と上枠との間の気密性を確保するが、図５，図７に示すように障子（外障子１）が閉鎖したときの隙間は障子の縦框３、もしくは上框２の縦枠９寄りの端部と、縦枠９の縦框３側の端部との間に生ずることから、風止板が縦枠９に、障子の縦框３、もしくは上框２の縦枠９寄りの端部と対向する位置に、上枠気密材12に下側から密着するように取り付けられることで、隙間を下側から塞ぐことが可能になり、外気の流入が阻止され、気密性が向上する。
【００１１】
縦枠と障子の縦框との間の気密性は、図５に示すように上枠に敷設された上枠気密材12の配置位置に対応し、障子（外障子１）の縦框３の室内側の端部と室内側から対向するように縦枠９の内周側（障子側）に形成された張出片91と縦框３との間に配置される気密材31ａによって確保されるが、障子が閉鎖している状態では縦枠９の室内側の張出片91の室内側の面と、障子の縦框３や上框２の室内側の端部の縦枠９側の面との間に隙間が生ずる。
【００１２】
そこで請求項２に記載のように風止板を縦枠９の張出片91に室内側から密着し、且つ障子（外障子１）の縦框３や上框２の室内側の端部に縦枠９側から密着するように取り付ければ、隙間の閉塞効果が向上する。
【００１３】
請求項２の場合に、縦枠９の張出片91と縦框３や上框２の室内側の端部に風止板を密着させるために、縦枠９の張出片91の室内側にポケット93を形成した場合には、隙間は縦枠９の張出片91と縦框３や上框２の室内側の端部、及びポケット93の障子側の面との間に生ずるため、請求項３に記載のように風止板をポケット93の障子側の面にも密着するように取り付けることで、隙間を完全に塞ぐことが可能になる。
【００１４】
【発明の実施の形態】
この発明は図８に示すように１枚の外障子１、もしくは外障子１を含む複数枚の障子１，５が開口枠の縦枠９，９間に昇降自在に支持され、外障子１の閉鎖時にその上框２の室内側の端部が、上枠10に室外側を向いて敷設された上枠気密材12に密着して上框２と上枠10との間の気密性を確保する上げ下げ窓において、外障子１の閉鎖時にその上框２が密着する上枠気密材12と縦枠９、及び外障子１の縦框３、もしくは上框２の縦枠９寄りの端部との間に生ずる隙間を風止板13によって塞ぎ、その部分の気密性を確保したものである。
【００１５】
図面では外障子１と内障子５が閉鎖時以外のときに内倒し可能な内倒し機能付き上げ下げ窓を示しているが、この発明は内障子５が固定障子で、外障子１が昇降自在、且つ室内側へ開放可能な窓の他、内障子５がなく、昇降自在、且つ室内側へ開放可能な障子のみを有する窓等、障子の閉鎖時以外のときに障子が室内側へ開放可能な機能を有する窓全般に適用される。昇降自在な障子のみを有する窓には２枚のガラス等のパネルの間を障子が昇降する形態もある。
【００１６】
図２に示すように外障子１の縦框３の縦枠９側と、縦枠９の縦框３側には両者間で気密性を確保するための張出片31，32、91，92が形成される。縦框３の張出片31，32と縦枠９の張出片91，92は図示するように見込み方向に対向し、縦框３の各張出片31，32は内倒し時の干渉を回避するために、それぞれ見込み方向に対向する縦枠９の張出片91，92の室内側に位置する。
【００１７】
互いに対向する縦框３の張出片31，32と縦枠９の張出片91，92の少なくともいずれか一方には両者間で気密性を確保する気密材31ａ，32ａが敷設される。図２では縦框３に気密材31ａ，32ａを敷設している。
【００１８】
図２ではまた、気密性を上げるために縦框３の張出片31，32と縦枠９の張出片91，92を室内側と室外側の二箇所に形成し、縦框３の両張出片31，32の室外側に気密材31ａ，32ａを敷設しているが、室内側にのみ張出片31、91を形成する場合と、縦枠９の張出片91，92に気密材を敷設する場合もある。
【００１９】
縦框３の張出片31，32と縦枠９の張出片91，92を二箇所に形成する場合、内倒し時の干渉を回避するために、縦框３の室外側の張出片32の縦枠９寄りの先端は縦枠９の室内側の張出片91の内周側（外障子１側）の先端より縦枠９の内周側に位置する。
【００２０】
上枠気密材12は図１に示すように上枠10に室外側を向いて形成されたポケット10ａに敷設されるが、縦框３と縦枠９との間の気密性と上框２と上枠10との間の気密性の連続性を確保する上で、図２に示すように上枠気密材12の敷設位置は縦框３の気密材31ａ，32ａのいずれかの位置と同一面内で周回し得るように揃えられる。図１，図２では縦框３の室内側の気密材31ａの位置に合わせて外障子１の上框２の室内側の端部である見付け片21に密着する位置に上枠気密材12を配置している。
【００２１】
上枠気密材12は外障子１が閉鎖していないときには図６に実線で示すように縦断面上、上框２と交わる位置まで突出しており、外障子１が閉鎖するときに鎖線で示すように上框２の室内側の見付け片21に圧縮させられながら、見付け片21に密着する。
【００２２】
風止板13は図１に示すように縦枠９の、上枠気密材12に下側から密着する位置で、且つ図２に示すように外障子１の縦框３、もしくは上框２の縦枠９寄りの端部の位置に取り付けられ、外障子１の閉鎖時に上枠気密材12と縦枠９、及び外障子１の縦框３や上框２との間に生ずる隙間を塞ぐ。図面では縦框３の室内側の気密材31ａの位置に合わせて敷設されている上枠気密材12の敷設位置に対応し、縦枠９の室内側の張出片91の室内側に風止板13を配置している。
【００２３】
風止板13は平面上、図２に示すように上枠気密材12と縦枠９の室内側の張出片91、及び縦框３や上框２との間に生ずる隙間を塞ぐ形をしていればよく、乾式シール材であるかモヘアであるか等の材質は問われず、形状も問われない。また隙間を上枠気密材12の下側から塞ぐ位置に取り付けられれば取付方法も問われないが、図面では縦枠９の室内側の張出片91の室内側にポケット93を形成し、そのポケット93に保持される形状に風止板13を形成している。
【００２４】
この場合、風止板13はポケット93に保持される被保持部13ａと、ポケット93の外障子１側の面から突出して隙間を塞ぐ本体部13ｂからなる。本体部13ｂはその上端において上枠気密材12の下側に密着すれば隙間を塞ぐ役目を果たすが、図面では図４に示すように本体部13ｂの外障子１側の面に、実質的に外気の進入を阻止する複数のヒレ13ｃを形成している。この場合、風止板13はゴムや樹脂等で製作されるが、外障子１の昇降時、外障子１は風止板13のヒレ13ｃに摺接するため、外障子１と風止板13との間にはそれ程大きな摩擦力は生じない。
【００２５】
縦框３の室内側の気密材31ａの位置に合わせて外障子１の上框２の室内側の見付け片21に密着する位置に上枠気密材12を配置した場合、外障子１が閉鎖したときの隙間は図５，図７に示すように縦枠９の室内側の張出片91の室内側の面と縦框３の室内側の張出片31の縦枠９側の面との間に生ずるため、風止板13の本体部13ｂは張出片91の室内側の面と、張出片31の縦枠９側の面に密着するように取り付けられる。
【００２６】
また縦枠９の室内側の張出片91の室内側にポケット93を形成した場合には張出片91の室内側の面と、張出片31の縦枠９側の面と、ポケット93の外障子１側の面とで囲まれた部分に隙間が生ずることから、図２に示すように風止板13の本体部13ｂが張出片91の室内側の面と張出片31の縦枠９側の面とポケット93の外障子１側の面に密着するように取り付けられることで、隙間を完全に塞ぐことができる。
【００２７】
図３に示すように内障子５の縦框７と縦枠９の、縦框７に対応した位置にも閉鎖時に両者間で気密性を確保するための張出片71，72、94，95が形成され、少なくともいずれか一方に気密材71ａ，72ａが敷設される。図３では外障子１に対応する室内側の張出片91の室内側に風止板13を取り付けるためのポケット93を形成していることから、そのポケット93の室内側の片を内障子５の縦框７の室外側の張出片72に対向する張出片95として兼用させている。
【００２８】
図３では内障子５の縦框７の室外側の張出片72に敷設した気密材72ａを見込み方向に対向する縦枠９の張出片95に室内側から密着させ、室内側の張出片71に敷設した気密材71ａを見付け方向に対向する縦枠９の張出片94に縦枠９の内周側から密着させている。
【００２９】
内障子５の閉鎖時には図１に示すように下框８と下枠11の少なくともいずれか一方に敷設された気密材14が他方に密着することにより両者間で気密性を確保する。
【００３０】
外障子１と内障子５が共に閉鎖したときの両者間の気密性は外障子１の下框４と内障子５の上框６の少なくともいずれか一方に敷設された気密材15が他方に密着することにより確保される。図１では外障子１の下框４と内障子５の上框６の双方に気密材15，15を敷設している。
【００３１】
図１，図６中、16は外障子１と内障子５をそれぞれ昇降操作するための昇降用つまみを、図１，図８中、17は両障子１，５が閉鎖した状態を拘束するクレセントを示す。図８中、19は外障子１と内障子５をそれぞれ内倒しにするときにラッチを解除するための内倒し用つまみを示す。
【００３２】
外障子１と内障子５は図２，図３，図５に示すように両縦枠９，９の各縦框３，７寄りに収納されているバランサやワイヤ等の支持部材18により、閉鎖時以外のときに任意の位置で静止し、開放状態を維持し得るように独立して支持される。
【００３３】
【発明の効果】
縦枠に、障子の縦框、もしくは上框の縦枠寄りの端部と対向する位置に、風止板を上枠気密材に下側から密着するように取り付けることで、障子の閉鎖時にその上框が密着する上枠気密材と縦枠、及び障子の縦框や上框との間に発生する隙間を下側から塞ぐため、隙間からの外気の流入を阻止することができ、障子と上枠との間の気密性が向上する。
【００３４】
請求項２では縦枠の内周側（障子側）に、障子の縦框の室内側の端部が室内側から対向する張出片が形成され、その両者間で縦框と縦枠間の気密性が確保されることに対応し、風止板を縦枠の張出片に室内側から密着し、且つ障子の縦框や上框の室内側の端部に縦枠側から密着するように取り付けるため、縦枠の室内側の張出片の室内側の面と、障子の縦框や上框の室内側の端部の縦枠側の面との間に生ずる隙間の閉塞効果が向上する。
【００３５】
請求項３では請求項２において縦枠の張出片と縦框の室内側の端部に風止板を密着させるために、縦枠の張出片の室内側にポケットを形成した場合に、風止板をポケットの障子側の面にも密着するように取り付けるため、縦枠の室内側の張出片と縦框の室内側の端部、及びポケットの障子側の面との間に生ずる隙間を完全に塞ぐことができる。
【図面の簡単な説明】
【図１】外障子と上枠気密材及び風止板の関係を示した上げ下げ窓の縦断面図である。
【図２】図１の風止板の位置の横断面図である。
【図３】外障子と内障子及び縦枠の関係を示した横断面図である。
【図４】縦枠と外障子の縦框との間への風止板の取付状況を示した仰観図である。
【図５】外障子閉鎖時の上枠気密材の隙間の発生状況を示した横断面図である。
【図６】図５の上框の位置の縦断面図である。
【図７】上枠気密材の隙間の発生状況を示した仰観図である。
【図８】内倒し機能付き上げ下げ窓を示した立面図である。
【符号の説明】
１……外障子、２……上框、３……縦框、31……（室内側）張出片、31ａ……気密材、32……（室外側）張出片、32ａ……気密材、４……下框、５……内障子、６……上框、７……縦框、71……（室内側）張出片、71ａ……気密材、72……（室外側）張出片、72ａ……気密材、８……下框、９……縦枠、91……（室内側）張出片、92……（室外側）張出片、93……ポケット、94……（室内側）張出片、95……（室外側）張出片、10……上枠、11……下枠、12……上枠気密材、13……風止板、13ａ……被保持部、13ｂ……本体部、13ｃ……ヒレ、14……気密材、15……気密材、16……昇降用つまみ、17……クレセント、18……支持部材、19……内倒し用つまみ。
【図１】
0003638133.tif 000002
【図２】
0003638133.tif 000003
【図３】
0003638133.tif 000004
【図４】
0003638133.tif 000005
【図５】
0003638133.tif 000006
【図６】
0003638133.tif 000007
【図７】
0003638133.tif 000008
【図８】
0003638133.tif 000009